(57)【要約】【課題】ケース内の部品に悪影響を与えずに、ケースの両側のロック部を取付側の被ロック部にスムーズ且つ確実に係合させる。【解決手段】接続箱本体２，２’の両側にロック部７，７’を設け、接続箱本体の両側の端部を押してロック部を取付側の被ロック部９に係合させる電気接続箱１，１’の取付構造で、接続箱本体の両側の端部に、外端に向かうにつれて漸次高くなる傾斜状の押圧操作部１１，１２、１１’，１２’を設けた。押圧操作部の傾斜面１４，１５、１４’，１５’に直交する方向にロック部が位置する。接続箱本体２，２’が、開口３，３’を有するメインカバーで、開口にサブカバー４，４’を挿着し、メインカバーの開口とは反対の壁部８，８’側に押圧操作部１１，１２、１１’，１２’を配置した。【選択図】図２
2008263700.tif 000002
【特許請求の範囲】
【請求項１】
接続箱本体の両側にロック部を設け、該接続箱本体の両側の端部を押して該ロック部を取付側の被ロック部に係合させる電気接続箱の取付構造において、該接続箱本体の両側の端部に、外端に向かうにつれて漸次高くなる傾斜状の押圧操作部が設けられたことを特徴とする電気接続箱の取付構造。
【請求項２】
前記押圧操作部の傾斜面に直交する方向に前記ロック部が位置したことを特徴とする請求項１記載の電気接続箱の取付構造。
【請求項３】
前記接続箱本体が、開口を有するメインカバーであり、該開口にサブカバーが挿着され、該メインカバーの該開口とは反対の壁部側に前記押圧操作部が配置されたことを特徴とする請求項１又は２記載の電気接続箱の取付構造。
【発明の詳細な説明】
【技術分野】
【０００１】
本発明は、電気接続箱のケースを押して車両ボディや樹脂ユニットといった取付側にロックさせる電気接続箱の取付構造に関するものである。
【背景技術】
【０００２】
図５（ａ）（ｂ）は、従来の電気接続箱の一形態を示すものである（特許文献１参照）。
【０００３】
この電気接続箱６１は、合成樹脂で比較的幅狭に形成されたメインカバー６２と、メインカバー６２の上部の開口６３からメインカバー内に縦置き（垂直）に挿着される回路基板組立体６４と、メインカバー６２の開口６３を塞ぐ合成樹脂製のアッパカバー（サブカバー）６５とを備えるものである。
【０００４】
回路基板６６の上下の各端部には、上下に突出した複数列の端子６８，６９と、各端子６８，６９を整列固定させる絶縁樹脂製のブロック本体７０，７１とが配設され、回路基板６６の中間部には複数のリレー（電気部品）６７が配設されている。
【０００５】
アッパカバー６５の上壁とメインカバー６２の底壁７２とには、各端子６８，６９を突出させる装着部７３や孔部７４が設けられ、各端子６８，６９と各ブロック本体７０，７１とでコネクタブロック７５，７６が構成されている。装着部７３に各ヒューズ（図示せず）が装着されてコネクタブロック７５の端子６８と接続される。
【０００６】
上記以外の電気接続箱として、特許文献２には、図５よりもさらに幅狭（薄型）で深めなメインカバーを用いて、メインカバーの上下の開口からカバー内にバスバー回路や絶縁板やヒューズ接続用端子を挿着し、メインカバーの上側の開口を絶縁樹脂製のヒューズ装着部（サブカバー）で塞ぐようにした電気接続箱（図示せず）が記載されている。
【０００７】
この電気接続箱のケースの幅狭な両側壁には、車両ボディ等の取付側の係止部と垂直なガイド部とで成る被ロック部に対するスライド係合式のロック部が設けられている。
【特許文献１】特開２００３−３４８７３２号公報（図１〜図２）
【特許文献２】特開２００４−３２８８４２号公報（図１〜図３）
【発明の開示】
【発明が解決しようとする課題】
【０００８】
しかしながら、上記従来の各電気接続箱にあっては、例えば図５（特許文献１）の電気接続箱６１のケース６２の両側壁に特許文献２の電気接続箱と同様のロック部を設けた場合、作業者がアッパカバー６５の上壁の長手方向（左右）両側を両手で下向きに押圧して、車両ボディ等の取付側の各被ロック部に各ロック部を係合させる際に、大きな押し力を必要とすると共に、電気接続箱６１が強く押した方向（左右何れか）に傾きやすく、ロック部が被ロック部に不完全係合し兼ねないという懸念があった。
【０００９】
また、アッパカバー６５に回路基板６６の上端が近接して配置されたり、アッパカバー６５の内面側で回路基板６６の上端を支持した場合には、アッパカバー６５の上壁の長手方向中間部を作業者が下向きに押圧した際に、カバー上壁が撓んで回路基板６６を押圧し、回路基板６６に悪影響を与え兼ねないという懸念があった。
【００１０】
また、作業者がケース６２を厚み方向に強く把持して、ロック部を被ロック部に係合させた場合には、ケース６２が厚み方向に撓んで、ケース内の回路基板６６が板厚方向に押されて、同様に悪影響を受け兼ねないという懸念があった。これらの懸念は、特許文献２の電気接続箱においても同様に生じ得るものである。
【００１１】
本発明は、上記した点に鑑み、ケース内の回路基板等に悪影響を与えることなく、ケースの両側のロック部と取付側の被ロック部とに効率的に力を伝えて、スムーズ且つ確実にロックを行わせることのできる電気接続箱の取付構造を提供することを特徴とする。
【課題を解決するための手段】
【００１２】
上記目的を達成するために、本発明の請求項１に係る電気接続箱の取付構造は、接続箱本体の両側にロック部を設け、該接続箱本体の両側の端部を押して該ロック部を取付側の被ロック部に係合させる電気接続箱の取付構造において、該接続箱本体の両側の端部に、外端に向かうにつれて漸次高くなる傾斜状の押圧操作部が設けられたことを特徴とする。
【００１３】
上記構成により、作業者が両側の傾斜状の押圧操作部を押して電気接続箱を取付側に装着する際に、各押圧操作部の押し力が外側の各ロック部に向かう方向に分力となって作用し、各ロック部が均一な力で取付側の各被ロック部に押し付けられて、傾き（片当たり）等なくスムーズ且つ確実に係合する。
【００１４】
請求項２に係る電気接続箱の取付構造は、請求項１記載の電気接続箱の取付構造において、前記押圧操作部の傾斜面に直交する方向に前記ロック部が位置したことを特徴とする。
【００１５】
上記構成により、各押圧操作部を押した際の外向き傾斜方向の分力が各ロック部に直接伝わり（作用し）、各ロック部が一層均一に取付側の各被ロック部に押し付けられて一層スムーズ且つ確実に係合する。
【００１６】
請求項３に係る電気接続箱の取付構造は、請求項１又は２記載の電気接続箱の取付構造において、前記接続箱本体が、開口を有するメインカバーであり、該開口にサブカバーが挿着され、該メインカバーの該開口とは反対の壁部側に前記押圧操作部が配置されたことを特徴とする。
【００１７】
上記構成により、ロック部と押圧操作部とがメインカバーに一体に設けられ、押圧操作部を押した際の力が他の部位に何ら吸収されたりすることなく（例えばメインカバーにアッパカバーを装着し、アッパカバーに押圧操作部を設けた場合には、押し力がメインカバーとアッパカバーとの接合部のガタで吸収されやすい）ロック部に直接伝わって、ロック操作が確実に行われる。サブカバーはメインカバーの開口を塞ぐもので、例えばメインカバー内の回路基板の端子を収容してコネクタとして作用する。
【発明の効果】
【００１８】
請求項１記載の発明によれば、電気接続箱を車両ボディ等の取付側に装着する際に、傾斜状の各押圧操作部の押し力で各ロック部が取付側の被ロック部に押し付けられつつ均一な力でスムーズ且つ確実に係合するから、電気接続箱が傾いたりすることなく、取付側にスムーズ且つ確実に装着され、電気接続箱の取付作業性（装着性）が向上する。また、作業者が押圧操作部以外の箇所を押すことがなくなり、接続箱本体の潰れ変形やそれに起因する内部の回路基板等の変形や傷み等が防止され、電気的接続の信頼性が確保される。
【００１９】
請求項２記載の発明によれば、各押圧操作部を押した際の分力が各ロック部に直接作用するから、請求項１記載の発明の効果が促進される。
【００２０】
請求項３記載の発明によれば、ロック部と押圧操作部とがメインカバーで一体化されるから、押圧操作力がロック部に直接伝わって、請求項１，２記載の発明の効果が促進される。特に、メインカバーを薄型で深く形成した場合に有効であり、取付側の省スペース化に対向可能である。
【発明を実施するための最良の形態】
【００２１】
図１〜図３は、本発明に係る電気接続箱の取付構造の一実施形態を示すものである。図１は外観正面図、図２は正面側を切欠して内部を示す斜視図、図３は取付状態を示す要部斜視図である。
【００２２】
図１の如く、この電気接続箱１は、下部開口３を有する合成樹脂製のメインカバー（ケースないし接続箱本体）２と、下部開口３に係合する合成樹脂製のアンダカバー（サブカバー）４とを備え、メインカバー２の左右両側の垂直な壁部（側壁）５，６に各ロック部７を有し、メインカバー２の水平な上壁８の左右両側に、各ロック部７を取付側の被ロック部９（図２）に係合させるための略逆ハの字状に傾斜した押圧操作部１１，１２を有したものである。
【００２３】
メインカバー２は前後方向に幅狭に（薄く）、左右方向に幅広に形成されている。メインカバー２の上壁８は長手方向中間部の段差１３を介して右半部は低く、左半部は高く形成され、右側の押圧操作部１１の傾斜角は小さく、且つ押圧操作部１１の傾斜面（傾斜壁）１４は長く、左側の押圧操作部１２の傾斜角は大きく、且つ押圧操作部１２の傾斜面（傾斜壁）１５は短く形成されている。
【００２４】
右側の押圧操作部１１は右側の側壁５に向かうにつれて直線的に上向きに傾斜し、左側の押圧操作部１２は左側の側壁６に向かうにつれて直線的に上向きに傾斜している。各押圧操作部１１，１２の傾斜面１４，１５は外端１４ａ，１５ａに向かうにつれて漸次高くなっている。各押圧操作部１１，１２は各側壁５，６の上側に頂部（符号１４ａ，１５ａで代用）を有する如く、上向きに断面略直角三角形状に突出形成されている。各押圧操作部１１，１２の傾斜面１４，１５は各側壁５，６の外面に鋭角的に交差して続き、且つ上壁８の上面に鈍角的に交差して続いている。
【００２５】
左右の各ロック部７の形状は同じで、位置（高さ）は同程度であり、右側の押圧操作部１１から右側のロック部７までの垂直距離は短く、左側の押圧操作部１２から左側のロック部７までの垂直距離は長くなっている。各押圧操作部１１，１２の傾斜面１４，１５に直交する仮想線１６は各ロック部７に交差している。少なくとも、各押圧操作部１１，１２の傾斜面１４，１５の延長線１７に直交する仮想線１６はロック部７に交差する。
【００２６】
メインカバー２の下部開口３を塞ぐアンダカバー４は、メインカバー２の前後の壁部１８に係止手段で固定されている。本例の係止手段は、メインカバー２の下端側の係止突起１９と、アンダカバー４の前後の外壁２０の切欠孔２１とで構成されている（係止手段は適宜設定される）。なお、本実施形態で、前後上下左右の方向は説明の便宜上のものであり、必ずしも取付側への電気接続箱１の取付方向と一致するとは限らない。
【００２７】
図２の如く、メインカバー２の内部には、回路基板組立体２２が縦置きに配置されて、アンダカバー４で支持されている。回路基板組立体２２は、回路基板２３と、回路基板２３の左半上部に設けられたヒューズコネクタブロック２４と、回路基板２３の下部に設けられたコネクタブロック２５とで構成されている。
【００２８】
回路基板２３の高さ方向中間部には複数のリレー２６や抵抗２７といった電気部品が表面実装及び接続されている。回路基板２３の裏面にはプリント回路（図示せず）が所要形態に形成され、回路基板２３の厚み方向中間部にはバスバー回路（図示せず）が配索されている。これら電気部品や回路は必要に応じて適宜設定される。
【００２９】
上側のヒューズコネクタブロック２４は、絶縁樹脂製のブロック本体２８と、ブロック本体２８に貫通固定された複数のヒューズ接続用の挟持端子２９とで構成されている。ブロック本体２８は回路基板２３の表面側に突出固定されている。挟持端子２９の先端側はメインカバー２の上壁側のヒューズ装着部３０のキャビティ内に収容され、基端側は回路基板２３の裏面側にハンダ接続されている。
【００３０】
下側のコネクタブロック２５は、絶縁樹脂製の水平な板状のブロック本体３１と、ブロック本体３１に貫通固定された複数のタブ端子３２とで構成されている。ブロック本体３１は回路基板２３の表面側に突出固定されている。タブ端子３２の先端側はアンダカバー４のコネクタ嵌合室３３内に突出してコネクタを構成し、基端側は回路基板２３の裏面側にハンダ接続されている。図２で符号３２１は電源入力用の端子である。コネクタ（符号３３で代用）には外部ワイヤハーネス（図示せず）のコネクタが嵌合接続される。
【００３１】
メインカバー２の両側のロック部７（図１）は取付側である車両ボディ側の樹脂ユニット３４の被ロック部９に係合する。図２は被ロック部９への係合前の状態を示している。各ロック部７は、前後一対の横断面Ｌ字状の垂直なスライド係合部３５と（図２では一方のスライド係合部３５のみを示す）、一対のスライド係合部３５の間に位置する係止突起３６とで構成されている。係止突起３６は上向きの係止面と下向きの傾斜ガイド面とを有している。
【００３２】
被ロック部９は、各スライド係合部３５の内側の溝に係合する垂直な各ガイド部３７と、一対のガイド部３７の間に位置して、係止突起３６に係合する上向きのアーム状の可撓枠部３８とで構成されている。可撓枠部３８は内側に係止突起３６を進入させる窓部３８ａを有している。
【００３３】
可撓枠部９は樹脂ユニット３４の内側の左右の垂直な壁部３９に設けられ、左右の壁部３９に直交して後側の垂直な壁部４０が続き、後側の壁部４０に沿って電気接続箱１が上から下に押されて装着される。例えば、後側の壁部４０に対向して前側の壁部（図示せず）が位置し、前後左右の壁部３９，４０で囲まれた空間内に電気接続箱１が挿着される。電気接続箱１の押し込みは、メインカバー２の上部両側の押圧操作部１１，１２を作業者が例えば両手の親指で押すことでスムーズ且つ確実に行われる。
【００３４】
図３に押し込み完了状態、すなわちメインカバー２のスライド係合部３５が取付側のガイド部３７にスライド式に係合し、同時にメインカバー２の係止突起３６が取付側の可撓枠部３８に係合したロック状態を示している。図２の係止突起３６の下向きの傾斜面が可撓枠部３８の上端にスムーズに摺接しつつ可撓枠部３８を外向きに撓ませて窓部３８ａ内に進入し、それと同時に可撓枠部３８が内向きに弾性復帰して係止突起３６をロックさせる。
【００３５】
各押圧操作部１１，１２の傾斜壁１４，１５の上面すなわち傾斜面には滑り止の複数本の細い突条４２（図３）が近接して設けられている。メインカバー２の上壁８の内面にはリブ４１が垂下形成され、リブ４１の下端に回路基板２３の上端が当接している。
【００３６】
作業者が両押圧操作部１１，１２を下向きに押圧した際に、両押圧操作部１１，１２がそれぞれ外端部に向かうにつれて斜め上向きに傾斜しているから、押圧力が各押圧操作部１１，１２の傾斜面１４，１５に直交する方向すなわち各ロック部７や各被ロック部９の方向に作用し（正確には下向きの押し力と斜め外向きの押し力とがベクトルで同時に作用し）、この斜め外向きの押し力によって各ロック部７が各被ロック部９に均一な力でスムーズ且つ確実に係合する。斜め外向きの力は各ロック部７を各被ロック部９に斜め外（下）向きに均一に押し付け、これによって左右の各ロック部７が押し力のばらつきなく均一な押し力で各被ロック部９に進入係合する。
【００３７】
図４は、本発明に係る電気接続箱の取付構造の他の実施形態を示すものである。
【００３８】
この電気接続箱１’の取付構造は、合成樹脂製のメインカバー（ケース）２’の一方の押圧操作部１１’を一方の側壁５’から外向きに突出形成し、他方の押圧操作部１２’をメインカバー２’の上壁８’から他方の側壁６’の上端にかけて形成した点で、前記実施形態の取付構造とは相違している。他の構成は概ね基本的に前記実施形態と同様であるので、同様の構成部分には同じ符号にダッシュを付して詳細な説明を省略する。
【００３９】
図４のメインカバー２’の上壁８’には右半部にコネクタハウジング４３が突出して設けられ、左半部にヒューズ装着部３０’が設けられている。コネクタハウジング４３内に回路基板２３’の上向きの端子４４が突出してコネクタを構成している。
【００４０】
一方の押圧操作部１１’は、コネクタハウジング４３側のメインカバー２’の角部から垂下した一方の側壁５’の上部側に配設され、側壁５’から外に向かうにつれて斜め上向きに傾斜した傾斜壁（傾斜面）１４’と、傾斜壁１４’の頂部から垂下した外壁４５とで構成され、外壁４５にロック部７’であるスライド係合部３５’と係止突起３６’とが設けられている。傾斜壁１４’の下側は中空になっている。
【００４１】
傾斜壁１４’の上面すなわち傾斜面（符号１４’で代用）に直交する仮想線１６’がロック部７’に交差し、傾斜面１４’を下向きに押した際に、ロック部７’に斜め外向きの力（分力）が作用し、その分力で取付側の被ロック部（図２の符号９）にスムーズ且つ確実に係合する。これは他方の押圧操作部１２’においても同様である。
【００４２】
他方の押圧操作部１２’は前記実施形態と同様の傾斜壁１５’を有する。傾斜壁１５’又は傾斜壁１５’の延長線１７’と直交する仮想線１６’がロック部７’と交差する。各押圧操作部１１’，１２’の傾斜面１４’，１５’は外端１４ａ’，１５ａ’に向かうにつれて漸次高くなっている。
【００４３】
図４で、符号２２’は回路基板組立体、４６は上側のヒューズコネクタブロック２４’を含む構造のコネクタブロック、２５’は下側のコネクタブロック、２６’はリレー、３’はメインカバー２’の下部開口、４’はアンダカバーをそれぞれ示している。
【００４４】
なお、上記各実施形態においては、メインカバー２，２’を接続箱本体としたが、上部開口（図示せず）を有するメインカバーとアッパカバー（図示せず）とで接続箱本体を構成したり、上下に開口を有するメインカバー（図示せず）にアッパカバーとアンダカバーを組み付けて接続箱本体を構成して、各アッパカバーの両側に押圧操作部１１，１２、１１’，１２’を設けることも可能である。
【００４５】
また、上記各実施形態においては、電気接続箱１，１’を縦置き（垂直）に配置して下向きに押圧して取付側にロックさせたが、例えば電気接続箱１，１’を横置き（水平）や斜めに配置して側方ないし斜め下向きに押圧して取付側にロックさせることも可能である。この場合、図１におけるケース２の上壁８は前壁、下部開口３は後部開口等と呼称される。
【００４６】
また、上記各実施形態においては、ロック部７としてスライド係合部３５と係止突起３６を用い、被ロック部９としてガイド部３７と可撓枠部３８を用いた、ロック部７や被ロック部９の構成はこれに限るものではなく、例えば、ロック部７としてガイド部３７と可撓枠部３８を用い、被ロック部９としてスライド係合部３５と係止突起３６を用いたり、スライド係合部３５やガイド部３７の形状を横断面Ｔ字状等に形成したり、可撓枠部３８に代えて片持ちアームや両持ちアームあるいは係合突起を用いたりすることも可能である。
【００４７】
また、上記各実施形態においては、押圧操作部１１，１２、１１’，１２’の傾斜面１４，１５、１４’，１５’を平面的（断面直線的）に形成したが、例えば傾斜面を、外端に向かうにつれて二次曲線的に高くなる断面円弧状に形成することも可能である。
【図面の簡単な説明】
【００４８】
【図１】本発明に係る電気接続箱の取付構造の一実施形態を示す正面図である。
【図２】同じく電気接続箱を取付側に装着する状態を示す斜視図である。
【図３】電気接続箱を取付側に装着した状態を示す要部斜視図である。
【図４】本発明に係る電気接続箱の取付構造の他の実施形態を示す縦断面図である。
【図５】従来の電気接続箱の一形態を示す、（ａ）は縦断面図、（ｂ）は斜視図である。
【符号の説明】
【００４９】
１，１’                  電気接続箱
２，２’                  メインカバー（接続箱本体）
３，３’                  開口
４，４’                  アンダカバー（サブカバー）
７，７’                  ロック部
８，８’                  上壁（壁部）
９                        被ロック部
１１，１２、１１’，１２’ 押圧操作部
１４，１５、１４’，１５’ 傾斜面
【図１】
2008263700.tif 000003
【図２】
2008263700.tif 000004
【図３】
2008263700.tif 000005
【図４】
2008263700.tif 000006
【図５】
2008263700.tif 000007